(57)【要約】【課題】    予め所定の大きさに形成され、施工現場において巾木若しくは笠木の端部の長さ調整が容易に行うことができ、切れ目の無い巾木、笠木を形成することのできる巾木部材並びに笠木部材を提供する。【解決手段】    コンクリートによって予め所定の大きさに形成し、塀の下部に複数連設して巾木を形成する塀用巾木部材１Ｈであって、該巾木部材１Ｈの一側には位置調整用突出片１１Ｈを形成すると共に、他側には位置調整用凹部を形成し、隣接する一方の巾木部材１Ｈの位置調整用突出片１１Ｈを他方の巾木部材１Ｈの位置調整用凹部に嵌合し、位置調整用突出片１１Ｈと位置調整用凹部の嵌合量を調整して巾木の長さを調整する。【選択図】        図１
2005248626.tif 000002
【特許請求の範囲】
【請求項１】
予め所定の大きさに形成し、塀の下部に複数連設して巾木を形成する塀用巾木部材であって、該巾木部材の一側には位置調整用突出片を形成すると共に、他側には位置調整用凹部を形成し、隣接する一方の巾木部材の位置調整用突出片を他方の巾木部材の位置調整用凹部に嵌合し、位置調整用突出片と位置調整用凹部の嵌合量を調整して巾木の長さを調整し得ることを特徴とする塀用巾木部材。
【請求項２】
予め所定の大きさに形成し、塀の上部に複数連設して笠木を形成する塀用笠木部材であって、該笠木部材の一側には位置調整用突出片を形成すると共に、他側には位置調整用凹部を形成し、隣接する一方の笠木部材の位置調整用突出片を他方の笠木部材の位置調整用凹部に嵌合し、位置調整用突出片と位置調整用凹部の嵌合量を調整して笠木の長さを調整し得ることを特徴とする塀用笠木部材。
【請求項３】
主面部と、位置調整用突出片と嵌合している隣接する巾木部材の位置調整用凹部との間に目地を形成したことを特徴とする請求項１に記載の塀用巾木部材。
【請求項４】
主面部と、位置調整用突出片と嵌合している隣接する笠木部材の位置調整用凹部との間に目地を形成したことを特徴とする請求項２に記載の塀用笠木部材。
【発明の詳細な説明】
【技術分野】
【０００１】
本発明は、コンクリート、レンガ等により形成され、塀に取付けて使用される巾木部材及び笠木部材に関するものであり、特に施工現場において、塀の長さに合わせて巾木と笠木の長さを簡単に調整し得る巾木部材及び笠木部材に関するものである。
【背景技術】
【０００２】
ブロック塀の表面に鏝塗材を塗布し、塀の装飾効果を高めたものが知られている。ブロック塀に湿式鏝塗材を塗布する場合、地面と接触する位置まで塗布すると、地面と接触している鏝塗材の部位には地面の湿気に常時曝されるため、カビが発生し、黒ずみの原因となっていた。そのため、鏝塗材を塗布する範囲は、地面より少し上がった位置までとなり、地面との間に下地となるブロックが剥き出しとなり、外観の悪化を招くものであった。
【０００３】
特許文献１には、予め所定の大きさに形成されたコンクリート製のプレキャスト製品による巾木部材が開示されている。この巾木部材の取付に当たっては、隣接する巾木部材の端部同士を突き合わせて長い巾木を形成しているため、巾木部材の継目部分が直ちに認識され、外観上好ましいものではない。また、突合せ部に隙間が生じると、地の材質が露出し、著しく外観を悪化するものであった。さらに、巾木の端部においては、殆どと言って良いほど、巾木部材を切り詰めて長さ調整を行わなければならず、施工作業が煩雑なものとなっていた。
【０００４】
特許文献２には、タイル製（磁器質タイル、せっ器質タイルあるいは陶器質タイル等）の笠木部材が示されており、複数の笠木部材を連設することによって、笠木が形成される。特許文献２に記載された笠木部材においても、特許文献１と同様に隣接する笠木部材との継目部分が線状となって現れると共に、隙間の発生により外観の悪化を招くものであった。また、笠木の端部においても、所定の大きさに形成された笠木部材を切断して長さ調整をしなければならないものであった。
【０００５】
【特許文献１】特許第３４６３０００号公報
【特許文献２】実開平６−７１８００号公報
【発明の開示】
【発明が解決しようとする課題】
【０００６】
本発明の目的は、予め所定の大きさに形成したにも関わらず、切れ目無く巾木、笠木を形成することができると共に、施工現場において巾木若しくは笠木の長さ調整を容易に行うことのできる、巾木部材及び笠木部材を提供することにある。
【課題を解決するための手段】
【０００７】
本発明者は、このような事情に鑑み鋭意検討を重ねた結果、予め所定の大きさに形成され、塀の下部に複数連設して巾木を形成する巾木部材であって、該巾木部材の一側には位置調整用突出片を形成すると共に、他側には位置調整用凹部を形成し、隣接する一方の巾木部材の位置調整用突出片を他方の巾木部材の位置調整用凹部に嵌合し、位置調整用突出片と位置調整用凹部の嵌合量を調整して巾木の長さを調整したことによって所期の目的を達成したものである。
【０００８】
また、予め所定の大きさに形成され、塀の上部に複数連設して笠木を形成する笠木部材であって、該笠木部材の一側には位置調整用突出片を形成すると共に、他側には位置調整用凹部を形成し、隣接する一方の笠木部材の位置調整用突出片を他方の笠木部材の位置調整用凹部に嵌合し、位置調整用突出片と位置調整用凹部の嵌合量を調整して笠木の長さを調整したことによって所期の目的を達成したものである。
【０００９】
前記塀用巾木部材には、主面部と、位置調整用突出片と嵌合している隣接する巾木部材の位置調整用凹部との間に目地が形成されている。
【００１０】
前記塀用笠木部材には、主面部と、位置調整用突出片と嵌合している隣接する笠木部材の位置調整用凹部との間に目地が形成されている。
【発明の効果】
【００１１】
本発明塀用巾木部材及び塀用笠木部材によれば、巾木及び笠木の端部に位置する巾木部材及び笠木部材を切断しなくても、隣接する一方の部材の位置調整用突出片と他方の部材の位置調整用凹部の嵌合量を調整することにより、切れ目無く巾木、笠木を形成することができると共に、巾木及び笠木の全体の長さを調整することができるので、施工作業が簡単に行えると共に美観を高揚することができる。
【発明を実施するための最良の形態】
【００１２】
以下、本発明を実施するための最良の形態を実施例に基づき説明する。
図１乃至図１２は本発明塀用巾木部材及び塀用笠木部材の実施例であり、図中１Ｈは巾木部材、１Ｋは笠木部材を表わし、これら巾木部材１Ｈと笠木部材１Ｋはブロック塀Ｂに取付けて使用され、巾木部材１Ｈはブロック塀Ｂの下部に、笠木部材１Ｋはブロック塀Ｂの上面に夫々取付けられる。なお、巾木部材１Ｈと笠木部材１Ｋは、コンクリートにより形成したものであるが、巾木、笠木としての使用に耐え得るものであれば、種々の材質を利用することができる。
【００１３】
巾木部材１Ｈは、厚さ約３０ｍｍの板状に形成され、一側には位置調整用突出片１１Ｈが形成され、他側には位置調整用凹部１２Ｈが形成されている。そして、位置調整用突出片１１Ｈが突出している幅と位置調整用凹部１２Ｈの奥行きは、同じ長さに形成されている。巾木部材１Ｈの主面部となる表面側には、上下方向に延びる複数の目地２Ｈが等間隔に形成されている。さらに、巾木部材１Ｈの裏面には、固着用接着剤が充填される複数の凹溝１３Ｈが平行に設けられている。
【００１４】
以上の構成からなる巾木部材１Ｈを用いてブロック塀Ｂの下部に巾木Ｈを形成するには、先ず巾木部材１Ｈの裏面の凹溝１３Ｈに沿って接着剤を塗着し、基準となる巾木部材１Ｈをブロック塀Ｂの下部に貼着する。次に基準となる巾木部材１Ｈに隣接する巾木部材１Ｈにも、同様に接着剤を塗着のであるが、位置調整用凹部１２Ｈの裏側にも接着剤を塗着する。基準となる巾木部材１Ｈの位置調整用突出片１１Ｈに隣接する巾木部材１Ｈの位置調整用凹部１２Ｈを重ね合わせ、位置調整用突出片１１Ｈと位置調整用凹部１２Ｈを嵌合した状態で貼着する。さらに、その次に取付ける巾木部材１Ｈにも同様に、凹溝１３Ｈと位置調整用凹部１２Ｈに接着剤を塗着し、端部に貼着されている巾木部材１Ｈの位置調整用突出片１１Ｈに位置調整用凹部１２Ｈを嵌合して取り付け、以後順次繰り返して巾木部材１Ｈをブロック塀Ｂに貼着する。ブロック塀Ｂの端部においては、端部をカバーする端部用巾木部材３Ｈを貼着する。
隣接する巾木部材１Ｈ同士または巾木部材１Ｈと端部用巾木部材３Ｈの間には、巾木部材１Ｈの主面部に形成した目地２Ｈと同様な目地２Ｈが形成され、継目が目立たず、切れ目の無い連続した外観の巾木Ｈが形成される。
【００１５】
全ての巾木部材１Ｈをブロック塀Ｂに貼着した後、接着剤が硬化しないうちに隣接する巾木部材１Ｈの間隔を、位置調整用突出片１１Ｈと位置調整用凹部１２Ｈの嵌合量を調整して各巾木部材１Ｈの位置を調整し、端部に位置する巾木部材１Ｈを切り詰めなくても済むように巾木Ｈの長さ調整を行う。位置調整用突出片１１Ｈと位置調整用凹部１２Ｈの嵌合量の調整によっても、巾木Ｈの端部に位置する巾木部材１Ｈが上手く納まらない場合には、端部に位置する巾木部材１Ｈの目地２Ｈに沿って、巾木部材１Ｈをダイヤモンドカッター等を用いて切断し、巾木Ｈの長さ調整を行う。このようにして形成された巾木Ｈは、体裁良くブロック塀Ｂの下部に形成することができる。巾木部材１Ｈの切り詰めも目地２Ｈに沿って行うので、巾木部材１Ｈの継目が分かり難く、美観を高揚することができる。
【００１６】
図６乃至１２に示した笠木部材１Ｋも、巾木部材１Ｈと同様に一側に位置調整用突出片１１Ｋを形成し、他側には位置調整用凹部１２Ｋを形成している。笠木部材１Ｋの主面部となる上面側には、複数の目地２Ｋが等間隔に形成されている。笠木部材１Ｋの裏面には、穴１４Ｋが形成され、穴１４Ｋにアンカー部材（不図示）を挿入固定し、該アンカー部材をブロック塀Ｂの上面に固定する。即ち、ブロック塀Ｂの上面にモルタルを盛っておき、該モルタルにアンカー部材を挿入した後、モルタルが硬化することによって笠木部材１Ｋをブロック塀Ｂに固定することができる。
雨水が笠木部材１Ｋの内側に回り込むと、ブロック塀Ｂの側面を雨水が伝って雨染が発生する。１１１Ｋは、笠木部材１Ｋの内側に雨水が回り込むのを防止する水切り突起である。
【００１７】
以上の構成からなる笠木部材１Ｋをブロック塀Ｂに取付けるには、先ず基準となる笠木部材１Ｋの裏面に固着したアンカー部材を、ブロック塀Ｂの上面に盛り付けた未硬化状態のモルタルに挿入する。次に基準となる笠木部材１Ｋに隣接する笠木部材１Ｋも同様に、アンカー部材を装着し、アンカー部材をモルタルに挿入する。この時、基準となる笠木部材１Ｋの位置調整用突出片１１Ｋに、隣接する笠木部材１Ｋの位置調整用凹部１２Ｋを重ね合わせ、位置調整用突出片１１Ｋと位置調整用凹部１２Ｋが嵌合した状態で取付ける。さらに、その後取付ける笠木部材１Ｈも同様に、位置調整用突出片１１Ｋに位置調整用凹部１２Ｋを重ね合わせた状態で取付け、以後順次繰り返して笠木部材１Ｋをブロック塀Ｂに取付ける。ブロック塀Ｂのコーナー部においては、コーナー部に載置されるコーナー用笠木部材３Ｋを取付ける。
隣接する笠木部材１Ｋ同士または笠木部材１Ｋとコーナー用笠木部材３Ｋとの間には、笠木部材１Ｋの主面部に形成した目地２Ｋと同様な目地２Ｋが形成され、継目が目立たず、切れ目の無い連続した外観の笠木Ｋが形成される。
【００１８】
全ての笠木部材１Ｋを取付けた後、モルタルが固化しないうちに隣接する笠木部材１Ｋの間隔を、位置調整用突出片１１Ｋと位置調整用凹部１２Ｋの嵌合量を調整して各笠木部材１Ｋの位置を調整し、端部に位置する笠木部材１Ｋを切り詰めなくても済むように調整を行う。位置調整用突出片１１Ｋと位置調整用凹部１２Ｋの嵌合量を調整することによっても、笠木Ｋの端部に位置する笠木部材１Ｋが上手く納まらない場合には、端部に位置する笠木部材１Ｋの目地２Ｋに沿って、笠木部材１Ｋをダイヤモンドカッター等を用いて切断し、笠木Ｋの長さ調整を行う。このようにして形成された笠木Ｋは、体裁良くブロック塀Ｂの上面に設けることができる。笠木部材１Ｋの切り詰めも目地２Ｋに沿って行うので、笠木部材１Ｋの継目が目立たず、美観を高揚することができる。
【００１９】
以上のとおり、ブロック塀Ｂに巾木Ｈと笠木Ｋが形成された後、ブロック塀Ｂの表面に湿式鏝塗り材を塗布し、ブロック塀Ｂの美観を高揚することができる。ブロック塀Ｂの下部には巾木Ｈが設けられているので、湿気によるカビの発生、黒ずみを防止することができる。
【図面の簡単な説明】
【００２０】
【図１】本発明塀用巾木部材の正面図
【図２】本発明塀用巾木部材の横断面図
【図３】本発明塀用巾木部材の背面図
【図４】本発明塀用巾木部材を連結した状態を表わす説明図
【図５】本発明塀用巾木部材をブロック塀の下部に設けた状態を表わす説明図
【図６】本発明塀用笠木部材の正面図
【図７】図６におけるＸ部分の縦断面図
【図８】図６におけるＹ部分の縦断面図
【図９】本発明塀用笠木部材の平面図
【図１０】本発明塀用笠木部材の側面図であり（ア）は位置調整用凹部側、（イ）は位置調整用突出片側の側面を表わす
【図１１】本発明塀用笠木部材をブロック塀の上面に設けた状態を表わす側面図
【図１２】本発明塀用笠木部材をブロック塀の上面に設けた状態を表わす平面図
【符号の説明】
【００２１】
１Ｈ      巾木部材
１Ｋ      笠木部材
１１Ｈ，１１Ｋ      位置調整用突出片
１２Ｈ，１２Ｋ      位置調整用凹部
Ｈ      巾木
Ｋ      笠木
２Ｈ，２Ｋ      目地
【図１】
2005248626.tif 000003
【図２】
2005248626.tif 000004
【図３】
2005248626.tif 000005
【図４】
2005248626.tif 000006
【図５】
2005248626.tif 000007
【図６】
2005248626.tif 000008
【図７】
2005248626.tif 000009
【図８】
2005248626.tif 000010
【図９】
2005248626.tif 000011
【図１０】
2005248626.tif 000012
【図１１】
2005248626.tif 000013
【図１２】
2005248626.tif 000014